(57)【要約】【課題】ＣＤを保持するための従来のような複数枚のカバーやプレートを不要とし生産性に優れ、またディスク収容ケースの厚みを従来に比べて薄くすることができ、保管に便利である。【解決手段】弾性材料から形成されるディスク収容ケース１である。ディスクを片面に配置する円板状のディスク収容ケース本体１と、本体１０の周囲に形成されており、ディスクの周端部に係合し得る係合部１２と、を有する。ディスク収容ケース本体１０が弾性材料から一体成形により形成されている。【選択図】  図１
2005022728.tif 000002
【特許請求の範囲】
【請求項１】
弾性材料から形成されるディスク収容ケースであって、
ディスクを片面に配置するディスク収容ケース本体と、
該本体の周囲に形成されており、ディスクの周端部に係合し得る係合部と、を有するディスク収容ケース。
【請求項２】
前記ディスク収容ケース本体が弾性材料から一体成形により形成されている請求項１に記載のディスク収容ケース。
【請求項３】
前記ディスク収容ケース本体が円板状である請求項１に記載のディスク収容ケース。
【請求項４】
前記ディスク収容ケース本体の中央部に形成されており、該ディスクの中央に形成された孔に係合し得る中央係合部をさらに有する請求項１に記載のディスク収容ケース。
【請求項５】
前記ディスク収容ケース本体の周囲に、該本体を吊り下げるための係止部が形成されている請求項１に記載のディスク収容ケース。
【請求項６】
弾性材料から形成されるディスク収容ケースであって、
ディスクを片面に配置するディスク収容ケース本体と、該ディスクの周端部及び／又はディスクの中央部に形成された孔に係合し得る係合部と、を有し、該ディスク収容ケース本体が弾性材料から一体成形により形成されているディスク収容ケース。
【発明の詳細な説明】
【０００１】
【発明の属する技術分野】
本発明は、音楽用やコンピュータ用記録メディアなど様々な分野で使用されるディスクの収容ケースに関し、特にディスクをコンパクトに収容できるようにしたディスク収容ケースに関する。
【０００２】
【従来の技術】
従来のコンパクトディスク（以下ＣＤという）を収容するためのケースを図８に示す。
【０００３】
このＣＤケースは、第１カバー８０および該第１カバー８０に枢着された第２カバー８１とを有する。第２カバー８１はその内面側にプレート８２を受け入れるように構成されている。プレート８２は、凹部８３を有し、その中央部に円形の突起８４が形成されている。ＣＤはそのその中央部に貫通孔を有し、ＣＤの中央部を突起８４の上に配置しＣＤを押圧することにより、突起８４が変形してＣＤの貫通孔を通る。このようにして、突起が貫通孔に嵌入することにより、ＣＤはプレート８２に保持される。
【０００４】
このような従来のＣＤケースは、上記したとおり、第１カバー８０、第２カバー８１および第２カバー８１内に配設されるプレート８２が必要であるので、部品点数が多くなり製造コストを増加させている。また、カバー８０，８１が比較的硬質であるので取り扱い時に破損することもあった。さらに、ＣＤケースの厚みが厚く保管に不便である。
【０００５】
【発明が解決しようとする課題】
本発明は、上記の欠点を解消するためになされたものであり、その目的とするところは、従来のディスク収容ケースに比べて厚みを薄くでき、また部品点数が少なくて生産性に優れ、さらに破損するおそれのないディスク収容ケースを提供することにある。
【０００６】
【課題を解決するための手段】
本発明のディスク収容ケースは、弾性材料から形成されるディスク収容ケースであって、ディスクを片面に配置するディスク収容ケース本体と、該本体の周囲に形成されており、ディスクの周端部に係合し得る係合部と、を有し、そのことにより上記目的が達成される。
【０００７】
一つの実施態様では、前記ディスク収容ケース本体が弾性材料から一体成形により形成されている。
【０００８】
一つの実施態様では、前記ディスク収容ケース本体が円板状である。
【０００９】
一つの実施態様では、前記ディスク収容ケース本体の中央部に形成されており、該ディスクの中央に形成された孔に係合し得る中央係合部をさらに有する。
【００１０】
一つの実施態様では、前記ディスク収容ケース本体の周囲に、該本体を吊り下げるための係止部が形成されている。
【００１１】
また、本発明のディスク収容ケースは、弾性材料から形成されるディスク収容ケースであって、ディスクを片面に配置するディスク収容ケース本体と、該ディスクの周端部及び／又はディスクの中央部に形成された孔に係合し得る係合部と、を有し、該ディスク収容ケース本体が弾性材料から一体成形により形成されており、そのことにより上記目的が達成される。
【００１２】
本発明の作用は以下の通りである。
【００１３】
ディスク収容ケースが弾性材料から形成されていることにより、その本体の片面にディスクを配置した場合に、ディスクの記録面が弾性な本体で保護されて傷等が付くことが防止される。また、従来のような複数のカバーが不要となり、製造が簡略化できると共に、ディスク収容ケースの厚みを薄くすることができる。
【００１４】
また、ディスクの周端部に係合し得る係合部が該本体の周囲に形成されていることにより、ディスクの周端部を係合部に係合した状態でディスクをケースに収容保管することができる。
【００１５】
ディスク収容ケース本体を弾性材料から一体成形により形成すると、さらに、ケースの生産性が向上する。
【００１６】
ディスクの中央に形成された孔に係合し得る中央係合部を本体の中央部に形成すると、本体周囲の係合部と合わせてディスクをさらに確実にケースに保持することができる。
【００１７】
本体の周囲に本体を吊り下げるための係止部を形成することにより、ケースを壁などに吊り下げて保管することができる。
【００１８】
【発明の実施の形態】
以下に本発明を図面を参照して説明する。
【００１９】
本発明のディスク収容ケース１は、弾性材料から形成されており、図１〜図４に示すように、ディスクを片面に配置する円板状のディスク収容ケース本体１０と、該本体１０の周囲に形成されており、ディスクの周端部に係合し得る係合部１２と、を有する。
【００２０】
弾性材料としては、ディスクの記録面に傷等を付けない程度の弾性を有するものであればよく、例えば、ゴムあるいはエラストマーを使用することができる。
ゴムとしては天然ゴムあるいはシリコンゴム等の合成ゴムが挙げられ、エラストマーとしては、スチレン系熱可塑性エラストマー、ポリオレフィン系熱可塑性エラストマー、ポリウレタン系熱可塑性エラストマー、ポリエステル系熱可塑性エラストマー等が挙げられ、好ましくはスチレン系熱可塑性エラストマーである。
【００２１】
ディスク収容ケース本体１０は平面視で円板状に形成され、その周囲に突条１４が全周に亘って形成されている。また、突条１４の位置において本体１０の周囲の適所にディスクの周囲端部に係合する係合部１２が複数形成されている（図５）。この係合部１２は、突条１４から本体１０の中心側へ延出片を延出して形成され複数の係合部１２によってディスクの周囲の複数箇所を本体１０側へ弾性的に挟持することによってディスクは本体１０に確実に取り付けられる。図示の実施例では、一定間隔をおいて５個の係合部１２が形成されているが、３個、４個あるいは６個以上係合部１２を形成してもよい。係合部１２の形状としては、正面視で細長い楕円形にしたが、円形や三角形等限定されない。
【００２２】
本体１０の中央部には、ディスクの中央に形成された孔に挿入し又は係合し得る中央係合部１６が突設されている。図７に示すように、この中央係合部１６は円筒状に形成され、その円筒部の先端部に基部よりやや外径の大きくなった大径部１８が形成され、ディスクの孔内に係合することで上記係合部１２とともにディスクを保持する。
【００２３】
また、本体１０の周囲には、ディスク収容ケース１を吊り下げるための係止部２０が形成されている。係止部２０はリング状に形成され、ディスク収容ケース本体１０から外方へ突出している。その係止部２０には容易に切断可能な薄肉部２２が形成されている。この係止部２０の係止孔２４を壁に固定された支持ピンなどに嵌め込むことにより、ディスク収容ケース１を壁から吊り下げることができる。また、薄肉部２２を切断して薄肉部２２から係止部２０を壁に止められた紐あるいは棒などに係止させるようにしてもよい。
【００２４】
上記したディスク収容ケース本体１０は、熱可塑性エラストマー等の弾性材料から一体成形により形成されているので、製造が容易である。
【００２５】
ディスク収容ケース１内にディスクを収容するには、上記したとおり、突条１４によって囲まれたディスク収容部１５にディスクを配置し、中央係合部１６をディスクの孔に通して係合させると共に、本体１０周囲に形成した係合部１２を弾性変形させてディスクの周囲の端部に係合させることにより、ディスクを本体１０に確実に収容できる。ここで、ディスクの記録面は弾性な本体１０の側面に接しているので、記録面に傷等が付くことはない。また、複数枚のケース１が積み重ねられた場合でも、ディスク間にクッション性のよいケース本体１０が配置されていることにより、ディスクが割れたり傷が付いたりすることがない。また、ディスクの周囲が突条１４で保護されているので、ディスクの周囲が破損することもない。
【００２６】
また、係止部２０を利用して壁の支持ピンなどに吊り下げてディスクを保管してもよい。この係止部２０を切断してケース１をファイルなどに保管してもよい。
【００２７】
ディスク収容ケース１からディスクを取り出すには、係合部１２を弾性変形させてディスク端部から外せば、ディスクをディスク収容ケース１から簡単に取り外すことができる。
【００２８】
なお、上記実施例では、ディスク収容ケース１の片面にディスクを収容するようにしたが、ケース１の両面にディスクを収容するようにしてもよい。その場合、ディスク収容ケース本体１０の周囲の両側に突条１４および係合部１２が形成され、本体１０の両側にそれぞれディスク収容部１５が形成される。
【００２９】
また、上記実施例では吊り下げ用の係止部２０を設けたが、係止部２０は設けなくてもよい。
【００３０】
【発明の効果】
本発明によれば、ＣＤ等を保持するための従来のような複数枚のカバーやプレートを不要とし生産性に優れ、またディスク収容ケースの厚みを従来に比べて薄くでき、保管に便利である。さらにケースが破損することもない。
【図面の簡単な説明】
【図１】本発明のディスク収容ケースの一実施形態の平面図である。
【図２】図１に示すケースの断面図である。
【図３】図１に示すケースの背面図である。
【図４】図１に示すケースの側面図である。
【図５】図１に示すケースのＶ−Ｖ’線断面図である。
【図６】図１に示すケースのＶＩ−ＶＩ’線断面図である。
【図７】図１に示すケースの要部断面図である。
【図８】従来のディスク収容ケースの斜視図である。
【符号の説明】
１    ディスク収容ケース
１０  ディスク収容ケース本体
１２  係合部
１４  突条
１５  ディスク収容部
１６  中央係合部
２０  係止部
【図１】
2005022728.tif 000003
【図２】
2005022728.tif 000004
【図３】
2005022728.tif 000005
【図４】
2005022728.tif 000006
【図５】
2005022728.tif 000007
【図６】
2005022728.tif 000008
【図７】
2005022728.tif 000009
【図８】
2005022728.tif 000010